(57)【要約】【課題】  オートクレーブ滅菌（高圧高温水蒸気滅菌）によっても不具合が生ずることのない内視鏡を提供すること。【解決手段】  操作部と、この操作部に取付けられた可撓管からなる体腔内挿入部とを具備し、前記可撓管の構成部材に用いる細線、又は前記可撓管内に収容された収容部材の固定に用いる細線をアラミド繊維により形成したことを特徴とする。【選択図】図１
2005074147.tif 000002
【特許請求の範囲】
【請求項１】
操作部と、この操作部に取付けられた可撓管からなる体腔内挿入部とを具備し、前記可撓管の構成部材に用いる細線、又は前記可撓管内に収容された収容部材の固定に用いる細線をアラミド繊維により形成したことを特徴とする内視鏡。
【請求項２】
前記可撓管は、帯状部材を螺旋状に巻いて形成した螺旋管の外周に網状管を被覆し、更にこの網状管の外周を外皮部材によって被覆して形成され、前記可撓管の構成部材は、アラミド繊維からなる細線を編組して環状に形成した網状管であることを特徴とする請求項１に記載の内視鏡。
【請求項３】
前記網状管を前記外皮と接着固定したことを特徴とする請求項２に記載の内視鏡。
【請求項４】
前記可撓管内に収容された収容部材は、多数の光学繊維を束ねた光学繊維束であり、この光学繊維束の外周に薄膜チューブを被装するとともに、その端部をアラミド繊維からなる細線で糸巻き固定したことを特徴とする請求項１に記載の内視鏡。
【請求項５】
前記糸巻き固定部上に接着剤をコーティングしたことを特徴とする請求項４に記載の内視鏡。
【請求項６】
前記可撓管内に収容された収容部材は、少なくとも１つのチャンネルチューブであり、このチャンネルチューブの端部は、前記体腔内挿入部の先端部に取り付けられたチャンネルパイプに外嵌され、前記チャンネルチューブの前記チャンネルパイプへの外嵌部をアラミド繊維からなる細線で糸巻き固定したことを特徴とする請求項１に記載の内視鏡。
【請求項７】
前記糸巻き固定部上に接着剤をコーティングしたことを特徴とする請求項６に記載の内視鏡。
【請求項８】
前記アラミド繊維は、テレフタル酸クロライドとパラフェニレンジアミンに第３成分としてエーテル結合を有するジアミンを用いて共重合させて得たコポリパラフェニレン−３，４’−オキシジフェニレン−テレフタルアミドからなる繊維であることを特徴とする請求項１ないし７のいずれかに記載の内視鏡。
【請求項９】
前記ジアミンの５０モル％が３，４−ジアミノジフェニルエーテルであり、前記繊維は、コポリパラフェニレン−３，４’−オキシジフェニレン−テレフタルアミドを乾湿式紡糸した後、超延伸して得た高配向繊維であることを特徴とする請求項８に記載の内視鏡。
【発明の詳細な説明】
【技術分野】
【０００１】
本発明は、内視鏡に係り、特に、挿入部を構成する可撓管、及び挿入部内に収容される光学繊維束組立体並びにチャンネルの固定を改良した内視鏡に関する。
【背景技術】
【０００２】
内視鏡の体腔内への挿入部は、可撓管１０によって構成されており、その内部には
、イメージガイド等の光学繊維束や各種チャンネルが収容されている。
【０００３】
内視鏡の挿入部を構成する可撓管は、一般に、帯状部材を一定の径で螺旋状に巻いて形成した螺旋管の外周に、細線を網組して環状に形成した網状管を被覆し、さらにその外周を外皮部材によって被覆することにより形成されている。螺旋管の素材としてはステンレス鋼帯又はリン青銅帯材等が用いられ、網状管の素材としてはステンレス鋼細線や炭素繊維等が用いられている（例えば、特許文献１参照）。
【０００４】
しかし、ステンレス鋼材やリン青銅帯材は比重が大きく重いので、内視鏡使用中に可撓管の途中の部分、例えば可撓管の基端部と体内に挿入された位置との間の部分が垂れ下がり、可撓管全体が直線または円弧を描かない部分が出来てしまい、挿入時の操作性を低下させるという問題がある。また、網状管の素材として用いられるステンレス鋼細線も比重が大きく重いので、同様に、挿入時の操作性を低下させるという問題がある。
【０００５】
また、内視鏡の挿入部内に収容される光学繊維束、例えばライトガイド、イメージガイドは、保護部材内に挿通されていて、断線しないように保護されている。従来、保護部材としては、多孔質のフッ素チューブやゴムチューブ等の保護チューブを用い、両端において保護チューブの外周に絹やナイロンの糸を巻くことにより、光学繊維束両端を固定していた（例えば、特許文献２及び３参照）。
【０００６】
更に、内視鏡の挿入部内に収容される各種チャンネル、例えば、処置具チャンネル、送気チャンネル、送水チャンネルは、チャンネルチューブの先端部をチャンネルパイプに外装して、チャンネルチューブの外周に絹やナイロンの糸を巻くことにより固定組立てていた（例えば、特許文献２及び３参照）。
【０００７】
一方、従来の医用内視鏡の消毒滅菌処理は、エチレンオキサイドガス等のガスや消毒液に頼っていたが、安全性・廃液公害・ランニングコスト等の問題から、廃液が安全性の高い水となり、無公害でランニングコストの安いオートクレーブ滅菌（高圧高温水蒸気滅菌）等が用いられるようになってきた。
【０００８】
しかし、このようなオートクレーブ滅菌によると、上述した可撓管、光学繊維束、チャンネルにおいて、種々の問題が生ずる。
【０００９】
即ち、可撓管に用いる網状管として、一般のステンレスの細線を編状やワイヤー状にしたものを用いた場合、オートクレーブ滅菌（高圧高温水蒸気滅菌）の水蒸気分子が網状やワイヤー状の細線間に入り込んで、水分として残留し、そのため網状やワイヤー状の細線が錆びて断線をおこす可能性がある（例えば、特許文献４参照）。また、炭素繊維の網状管を使用すると、炭素繊維同士を編み上げた時、炭素繊維が折れ、強度のある網状管を形成しにくくなる可能性がある。
【００１０】
また、光学繊維束の固定のために保護チューブの外周に巻かれる絹やナイロンの糸は、一般に、オートクレーブ滅菌（高圧高温水蒸気滅菌）の水蒸気分子で繊維高分子が加水分解し、そのため保護チューブの外周からはずれてしまい、その結果、光学繊維束両端がはずれて繊維束が破断し、照明や画像を得ることが出来なくなるという問題が発生する可能性がある。
【００１１】
同様に、チャンネルチューブをチャンネルパイプに固定するためにチャンネルチューブの外周に巻かれる絹やナイロンの糸も、オートクレーブ滅菌の水蒸気分子で繊維高分子が加水分解し、そのためチャンネルチューブの外周からはずれ、所定の性能が得られないという問題が発生する可能性がある。
【特許文献１】特開平１０−２４０１２号公報
【特許文献２】特開平５−３２３２１０号公報
【特許文献３】特開２００１−６１７７４号公報
【特許文献４】特開２００１−４６３３０号公報
【発明の開示】
【発明が解決しようとする課題】
【００１２】
本発明は、上記問題点を解消し、オートクレーブ滅菌（高圧高温水蒸気滅菌）によっても不具合が生ずることのない内視鏡を提供することを目的とする。
【課題を解決するための手段】
【００１３】
上記課題を解決するため、本発明は、操作部と、この操作部に取付けられた可撓管からなる体腔内挿入部とを具備し、前記可撓管の構成部材に用いる細線、又は前記可撓管内に収容された収容部材の固定に用いる細線をアラミド繊維により形成したことを特徴とする内視鏡を提供する。
【００１４】
以上のように構成される本発明の内視鏡によると、可撓管の構成部材に用いる細線、又は可撓管内に収容された収容部材の固定に用いる細線をアラミド繊維により形成しているので、オートクレーブ滅菌によっても、細線が錆びたり、折れたり、或いは分解したりすることがなく、そのため、可撓管が損傷したり、収容部材の固定が損なわれたりすることがない。
【００１５】
本発明の内視鏡において、前記可撓管は、帯状部材を螺旋状に巻いて形成した螺旋管の外周に網状管を被覆し、更にこの網状管の外周を外皮部材によって被覆して形成され、前記可撓管の構成部材は、アラミド繊維からなる細線を編組して環状に形成した網状管とすることが出来る。
【００１６】
このように、網状管をアラミド繊維からなる細線により形成することにより、網状管が軽量となり、内視鏡の操作性が良好となる。また、オートクレーブ滅菌によっても網状管を構成する細線が錆びたり断線することがなく、そのため強度や可撓性が低下することがない可撓管を備える内視鏡を得ることが出来る。  
なお、網状管を前記外皮と接着固定することが望ましい。そうすることにより、可撓管の強度の向上を更に図ることが出来る。
【００１７】
また、前記可撓管内に収容された収容部材は、多数の光学繊維を束ねた光学繊維束であり、この光学繊維束の外周に薄膜チューブを被装するとともに、その端部をアラミド繊維からなる細線で糸巻き固定することが出来る。
【００１８】
このように、薄膜チューブの端部をアラミド繊維からなる細線で糸巻き固定することにより、オートクレーブ滅菌によっても細線が分解してほどけ、光学繊維束が破断することがない。  
なお、糸巻き固定部上に接着剤をコーティングすることが望ましい。そうすることにより、光学繊維束の固定をより強化することが出来る。
【００１９】
更に、前記可撓管内に収容された収容部材は、少なくとも１つのチャンネルチューブであり、このチャンネルチューブの端部は、前記体腔内挿入部の先端部に取り付けられたチャンネルパイプに外嵌され、前記チャンネルチューブの前記チャンネルパイプへの外嵌部をアラミド繊維からなる細線で糸巻き固定することが出来る。  
このように、チャンネルチューブのチャンネルパイプへの外嵌部をアラミド繊維からなる細線で糸巻き固定することにより、オートクレーブ滅菌によっても細線が分解してはずれ、チャンネルチューブとチャンネルパイプとが離脱することはない。  
なお、糸巻き固定部上に接着剤をコーティングすることが望ましい。そうすることにより、チャンネルチューブの固定をより強化することが出来る。
【００２０】
本発明の内視鏡において、細線を構成するアラミド繊維は、テレフタル酸クロライドとパラフェニレンジアミンに第３成分としてエーテル結合を有するジアミンを用いて共重合させて得たコポリパラフェニレン−３，４’−オキシジフェニレン−テレフタルアミドからなる繊維であることが望ましい。また、前記ジアミンの５０モル％が３，４−ジアミノジフェニルエーテルであり、前記繊維は、コポリパラフェニレン−３，４’−オキシジフェニレン−テレフタルアミドを乾湿式紡糸した後、超延伸して得た高配向繊維であることが望ましい。  
このようなアラミド繊維は、優れた機械的性質、耐疲労性、熱的性質、寸法安定性、耐薬品性、及び耐湿熱性を示ので、本発明において好適に使用することが出来る。
【発明の効果】
【００２１】
本発明によれば、オートクレーブ滅菌によっても、細線が錆びたり、折れたり、或いは分解したりすることがなく、そのため、可撓管が損傷したり、可撓管内に収容される収容部材の固定が損なわれたり、収容部材が破損したりすることがない、操作性に優れ、滅菌処理に対する耐性が優れた内視鏡が提供される。
【発明を実施するための最良の形態】
【００２２】
以下、本発明を実施するための最良の形態について説明する。
【００２３】
図１は、本発明の内視鏡の全体構成を示すものであって、図中、参照符号１は本体操作部、２は挿入部、３はユニバーサルコード、４は接眼部をそれぞれ示す。挿入部２は、その本体操作部１への連設側から大半の長さ分は軟性部２ａであり、この軟性部２ａには、操作部１からの遠隔操作によって屈曲するアングル部２ｂ、及び対物光学系等が内蔵された先端硬質部２ｃが順次連設されている。
【００２４】
挿入部２は、可撓管により構成されている。挿入部２を構成する可撓管内には、周知の如く、照明光を伝送するためのライトガイドや、観察対象部の光学像を伝送するためのイメージガイド等の光学繊維束、及びカンシその他の処置具挿通チャンネルや、送気チャンネル及び送水チャンネル等の各種チャンネルを構成するチャンネルチューブが挿通されている。
【００２５】
また、アングル部２ｂの先端部または先端硬質部２ｃの基端部には、アングル操作ワイヤが連結されている。操作部２にはアングル操作ノブ５が配置されていて、このアングル操作ノブ５を操作すると、アングル操作ワイヤが押し引きされて、アングル部２ｂは湾曲せしめられることになる。なお、参照符号４は、接眼部を示す。
【００２６】
本発明は、以上説明した内視鏡に用いる細線をアラミド繊維により形成することを特徴とする。即ち、本発明の第１の形態では、内視鏡の挿入部２を構成する可撓管の一部をなす網状管をアラミド繊維からなる細線により形成する。また、本発明の第２の形態では、光学繊維束の固定に、アラミド繊維からなる細線を用いる。更に、本発明の第３の形態では、チャンネルチューブの固定に、アラミド繊維からなる細線を用いる。
【００２７】
アラミド繊維とは、芳香族ポリアミド繊維の別名であり、脂肪族ポリアミド繊維と区別するために使用されている。アラミド繊維には、メタ型とパラ型の２種があるが、パラ型アラミド繊維はメタ型アラミド繊維に比べ高強度であるので、本発明に好ましく使用される。
【００２８】
パラ型アラミド繊維として、ポリパラフェニレンテレフタルアミド（ＰＰＴＡ、商品名：ケプラー、デュポン社製）、及びコポリパラフェニレン・３.４’オキシジフェニレン・テレフタルアミド（商品名：テクノーラ、帝人社製）が知られている。これらのうちで、コポリパラフェニレン−３，４’−オキシジフェニレン−テレフタルアミド（商品名：テクノーラ、帝人社製）は、オートクレーブ滅菌によっても強度が殆ど劣化しないので、本発明に特に好ましく使用することが出来る。ケプラーは、１００％硫酸溶液中で湿式紡糸を行っているため、繊維に微細な凹凸があり、この凹凸に水分がアタックするため、耐湿熱性がテクノーラに比べ劣る。
【００２９】
テクノーラは、テレフタル酸クロライドとパラフェニレンジアミンに第３成分としてエーテル結合を有するジアミンを用いて共重合させて得たコポリパラフェニレン−３，４’−オキシジフェニレン−テレフタルアミドからなる繊維である。コポリパラフェニレン−３，４’−オキシジフェニレン−テレフタルアミドとしては、５０モル％が３，４−ジアミノジフェニルエーテルであるジアミン成分を用いて得たものが望ましい。テクノーラは、このような共重合体を、乾湿式紡糸した後、超延伸して高配向繊維とすることにより得ることが出来る。
【００３０】
以下、本発明に最も好ましく使用されるテクノーラの優れた特性について説明する。  
テクノーラは、優れた機械的性質、耐疲労性、熱的性質、寸法安定性、耐薬品性、及び耐湿熱性を示す。特に、耐湿熱性は極めて優れており、例えば、１２０℃の飽和水蒸気中に長時間（４００時間）保持しても、強力保持率は１００％と殆ど劣化しない。また、１００〜２００℃の飽和水蒸気内に１００時間保持した場合、強力保持率は１５０℃まではそれほど劣化せず、１５０℃を越えると劣化し始める。これに対し、ポリエステル繊維では、１２０℃の飽和水蒸気中に保持すると、直ぐに劣化し始め、４００時間では強力保持率は２０％に劣化してしまう。
【００３１】
本発明者らは、テクノーラを含む５種の糸の収縮率及び引張強度を求める実験を以下のように行った。即ち、各糸に質量５０ｇの分銅を下げた状態で初期長さを１ｍに設定し、１３５℃、２気圧の条件下に５分間暴露する操作を６００回繰り返した後、長さを測定し、収縮率を求めた。また、初期の糸の引張り強度と、上記暴露を６００回繰り返した後の引張り強度を測定した。これらの結果を下記表１に示す。
【表１】
2005074147.tif 000003
【００３２】
上記表１から、収縮率及び引張り強度ともにテクノーラが最も優れており、特に引張り強度は、高温高圧下にさらしても強度の劣化が非常に少ないことがわかる。
【００３３】
なお、上記表１から、アラミド繊維ではないが、ポリアリレート繊維（商品名：ベクトラン）、ポリ−ｐ−フェニレンベンゾビスオキサゾール（商品名：ザイロン）も、或る程度優れた特性を示しているので、本発明に使用可能である。
【００３４】
以下、本発明の種々の実施例について、説明する。
【００３５】
実施例１
本実施例は、本発明を内視鏡の可撓管に適用した例である。
【００３６】
図２は挿入部２を構成する可撓管を示しており、その中に通された光学繊維束等の図示は省略されている。可撓管１０の最内層は、帯状部材を一定の径で螺旋状に巻いた螺旋管１１によって形成されている。螺旋管１１の外周には、細線を編組して環状に形成したいわゆる網状管（ブレード）１２が二重に被覆されている。
【００３７】
網状管１２の外周には、ポリエステル製チューブからなる外皮部材１３が被覆されている。ただし、外皮部材１３は押し出し成形あるいはディッピング等で形成してもよい。なお、参照符号１４は、例えば鉛の薄板のようなＸ線不透過部材からなる透視用指標である。
【００３８】
本実施例に係る内視鏡の可撓管では、網状管１２は、アラミド繊維からなる細線を素材としている。そのため、網状管１２は、可撓性があり、高強度であり、オートクレーブ滅菌（高圧高温水蒸気滅菌）によっても強度が劣化せず、ステンレス鋼材等からなる網状管に比べて重量は非常に軽い。なお、本実施例において、網状管１２は２重であるが、１重であってもよい。
【００３９】
アラミド繊維としてコポリパラフェニレン−３，４’−オキシジフェニレン−テレフタルアミド（商品名：テクノーラ）を用いて網状管１２を形成し、この網状管１２を備える内視鏡を構成し、１３５℃、２気圧の水蒸気雰囲気中で５分間、オートクレーブ滅菌を行ったところ、網状管１２を構成する細線が錆びたり分解して、断線したりすることはなかった。
【００４０】
実施例２
本実施例は、本発明を内視鏡の挿入部内に収容される光学繊維束の固定に適用した例である。
【００４１】
図１に示す挿入部２に収容されているライトガイド及びイメージガイドは、細い光学繊維を多数束ねた光学繊維束からなり、この光学繊維束を構成する各光学繊維は極めて脆弱な部分であることから、これを保護するために保護部材内に挿通させて、全体として、例えばイメージガイド組立体を形成する。
【００４２】
図３は、このイメージガイド組立体の一例の全体外観図を示す。図３において、光学繊維束２１は、薄肉保護チューブ２２により被装されて、イメージガイド本体２３が形成されている。イメージガイド本体２３の先端部は、薄肉保護チューブ２２が口金２４に嵌合されることにより固定されている。口金２４に嵌合された薄肉保護チューブ２２の外周には、アラミド繊維からなる細線が巻回されて、糸巻２５が設けられている。
【００４３】
このように形成された薄肉保護チューブ２２の外周の糸巻２５上には、接着剤が塗布されている。
【００４４】
アラミド繊維としてコポリパラフェニレン−３，４’−オキシジフェニレン−テレフタルアミド（商品名：テクノーラ）を用いて、糸巻２５を形成し、挿入部２内のライトガイド及びイメージガイドを固定した。このようにして構成された内視鏡に、１３５℃、２気圧の水蒸気雰囲気中で５分間、オートクレーブ滅菌を行ったところ、糸巻２５を構成する細線が分解して、糸巻２５が薄肉保護チューブ２２からはずれ、光学繊維束２１が破損することはなかった。
【００４５】
実施例３
本実施例は、本発明を内視鏡の挿入部内に収容されるチャンネルの固定に適用した例である。  
図４は、チャンネルチューブとチャンネルパイプとの固定部を示す断面図である。  
図４において、チャンネルチューブとチャンネルパイプの接続は、次のようにして行われる。
【００４６】
まず、挿入部２の先端部本体３１の通路３２に、チャンネルパイプ３３を嵌合し、次いで、通路３２及びチャンネルパイプ３３内に芯金３４を挿入する。芯金３４は、把持部３５と円柱部３６とから構成される。その後、チャンネルパイプ３３内から突出する芯金３４の円柱部３６の外周に沿って、チャンネルチューブ３７を挿入する。この場合、チャンネルチューブ３７の端部は、チャンネルパイプ３３に外嵌するように挿入される。
【００４７】
次に、チャンネルパイプ３３と重なる部分のチャンネルチューブ３７の外周部に、アラミド繊維からなる細線３８を、例えば指３９によって複数回巻回し、この糸巻部分に接着剤を塗布して固定する。
【００４８】
以上のチャンネルチューブ３７とチャンネルパイプ３３との接続・固定は、処置具チャンネル、送気チャンネル、送水チャンネル等の各種チャンネルに対し、適用可能である。
【００４９】
アラミド繊維としてコポリパラフェニレン−３，４’−オキシジフェニレン−テレフタルアミド（商品名：テクノーラ）を用いて、細線３８をチャンネルパイプ３３と重なる部分のチャンネルチューブ３７の外周部に複数回巻回し、チャンネルチューブ３７とチャンネルパイプ３３とを接続・固定した。このようにして構成された内視鏡に、１３５℃、２気圧の水蒸気雰囲気中で５分間、オートクレーブ滅菌を行ったところ、細線３８がが分解して、糸巻がチャンネルチューブ３７からはずれ、チャンネルチューブ３７とチャンネルパイプ３３とが離脱することはなかった。
【００５０】
本発明は、以上の実施例に限定されるものではなく、本発明の要旨を逸脱しない範囲で種々変形して実施することが可能である。  
（付記）
付記１．操作部と、この操作部に取付けられた可撓管からなる体腔内挿入部とを具備し、前記可撓管の構成部材に用いる細線、又は前記可撓管内に収容された収容部材の固定に用いる細線をアラミド繊維により形成したことを特徴とする内視鏡。
【００５１】
付記２．前記可撓管は、帯状部材を螺旋状に巻いて形成した螺旋管の外周に網状管を被覆し、更にこの網状管の外周を外皮部材によって被覆して形成され、前記可撓管の構成部材は、アラミド繊維からなる細線を編組して環状に形成した網状管であることを特徴とする付記１に記載の内視鏡。
【００５２】
付記３．前記網状管を前記外皮と接着固定したことを特徴とする付記２に記載の内視鏡。
【００５３】
付記４．前記可撓管内に収容された収容部材は、多数の光学繊維を束ねた光学繊維束であり、この光学繊維束の外周に薄膜チューブを被装するとともに、その端部をアラミド繊維からなる細線で糸巻き固定したことを特徴とする付記１に記載の内視鏡。
【００５４】
付記５．前記糸巻き固定部上に接着剤をコーティングしたことを特徴とする付記４に記載の内視鏡。
【００５５】
付記６．前記可撓管内に収容された収容部材は、少なくとも１つのチャンネルチューブであり、このチャンネルチューブの端部は、前記体腔内挿入部の先端部に取り付けられたチャンネルパイプに外嵌され、前記チャンネルチューブの前記チャンネルパイプへの外嵌部をアラミド繊維からなる細線で糸巻き固定したことを特徴とする付記１に記載の内視鏡。
【００５６】
付記７．前記糸巻き固定部上に接着剤をコーティングしたことを特徴とする付記６に記載の内視鏡。
【００５７】
付記８．前記アラミド繊維は、テレフタル酸クロライドとパラフェニレンジアミンに第３成分としてエーテル結合を有するジアミンを用いて共重合させて得たコポリパラフェニレン−３，４’−オキシジフェニレン−テレフタルアミドからなる繊維であることを特徴とする付記１ないし７のいずれかに記載の内視鏡。
【００５８】
付記９．前記ジアミンの５０モル％が３，４−ジアミノジフェニルエーテルであり、前記繊維は、コポリパラフェニレン−３，４’−オキシジフェニレン−テレフタルアミドを乾湿式紡糸した後、超延伸して得た高配向繊維であることを特徴とする付記８に記載の内視鏡。
【００５９】
付記１０．前記光学繊維束は、ライドガイド又はイメージガイドであることを特徴とする付記４に記載の内視鏡。
【００６０】
付記１１．前記チャンネルチューブ及びチャンネルパイプは、処置具チャンネル、送気チャンネル、及び送水チャンネルからなる群から選ばれたチャンネルのチャンネルチューブ及びチャンネルパイプであることを特徴とする付記６に記載の内視鏡。
【図面の簡単な説明】
【００６１】
【図１】本発明の一実施形態に係る内視鏡の全体構成を示す側面図。
【図２】本発明の一実施形態に係る内視鏡の可撓管の部分断面図。
【図３】本発明の一実施形態に係る内視鏡の可撓管内に収容されたイメージガイド組立体の一例を示す図。
【図４】本発明の一実施形態に係る内視鏡の可撓管内に収容されたチャンネルチューブとチャンネルパイプとの固定部を示す断面図。
【符号の説明】
【００６２】
１・・・本体操作部、２・・・挿入部、２ａ・・・軟性部、２ｂ・・・アングル部、２ｃ・・・先端硬質部、３・・・ユニバーサルコード、４・・・接眼部、５・・・アングル操作ノブ、１０・・・可撓管、１１・・・螺旋管、１２・・・網状管、１３・・・外皮部材、２１・・・光学繊維束、２２・・・薄肉保護チューブ、２３・・・イメージガイド本体、２４・・・口金、２５・・・糸巻、３１・・・先端部本体、３２・・・通路、３３・・・チャンネルパイプ、３４・・・芯金、３５・・・把持部、３６・・・円柱部、３７・・・チャンネルチューブ、３８・・・細線、３９・・・指。
【図１】
2005074147.tif 000004
【図２】
2005074147.tif 000005
【図３】
2005074147.tif 000006
【図４】
2005074147.tif 000007